(57)【要約】      （修正有）【課題】建設予定の発電設備の工程を参加者間のノウハウ等の秘匿情報の漏洩を補償しつつ管理でき、系統の把握や工区別の工程把握が容易な発電設備建設管理装置および方法を提供する。【解決手段】既建設の発電設備についての電力会社Ｔにより提供される主要工程の実績を、建設予定の発電設備の主要工程として、データベース１２に登録する全体プロジェクト管理手段１３１と、既建設の発電設備についての参加者Ａ，Ｂ，Ｃにより提供される副工程の実績を、建設予定の発電設備の副工程として、主要工程に関連付けして前記データベースに登録する個別工程管理手段１３２と、データベース１２への登録内容へのアクセスを許可するアクセス許可手段１３３とを備え、アクセス許可手段１３３は、電力会社Ｔに対しデータベース１２中の主要工程および副工程へのアクセスを許可し、各参加者Ａ，Ｂ，Ｃに対しデータベース１２中の副工程にアクセスを許可する。【選択図】図２
2006119842.tif 000002
【特許請求の範囲】
【請求項１】
建設予定の発電設備の工程を、既建設の発電設備についての電力会社および参加者の工程履歴に基づき管理する発電設備建設管理装置であって、
前記既建設の発電設備についての前記電力会社により提供される主要工程の実績を、前記建設予定の発電設備の主要工程として、データベースに登録する全体プロジェクト管理手段と、
前記既建設の発電設備についての前記参加者により提供される副工程の実績を、前記建設予定の発電設備の副工程として、前記主要工程に関連付けして前記データベースに登録する個別工事管理手段と、
前記データベースへの登録内容へのアクセスを許可するアクセス許可手段と、
を備え、
前記アクセス許可手段は、
前記電力会社に対し前記データベースに登録された前記主要工程および前記副工程の内容へのアクセスを許可し、
前記各参加者に対し前記データベースに登録された各自が提供した前記副工程の内容にアクセスを許可し、前記データベースに登録された他の参加者が提供した前記副工程に自己の工程実行に必要な場合にのみアクセスを許可する、
ことを特徴とする発電設備建設管理装置。
【請求項２】
建設予定の発電設備の工程を管理する発電設備建設管理装置であって、
前記建設予定の発電設備の主要工程をデータベースに登録する全体プロジェクト管理手段と、
前記建設予定の発電設備の副工程を前記主要工程に関連付けして前記データベースに登録する個別工事管理手段と、
前記データベースへの登録内容へのアクセスを許可するアクセス権許可手段と、
を備え、
前記アクセス許可手段は、
前記電力会社に対し前記データベースに登録された前記主要工程および前記副工程の内容にアクセスを許可し、
前記各参加者に対し前記データベースに登録された各自が提供した前記副工程の内容にアクセスを許可し、前記データベースに登録された他の参加者が提供した前記副工程に自己の工程実行に必要な場合にのみアクセスを許可する、
ことを特徴とする発電設備建設管理装置。
【請求項３】
前記電力会社による、前記主要工程登録手段に登録された前記主要工程の内容へのアクセスは登録内容の書き換えを含み、
前記各参加者による、各自が提供した前記個別工事管理手段に登録された前記副工程の内容へのアクセスは、登録内容の書き換えを含む、
ことを特徴とする請求項１または２に記載の発電設備建設管理装置。
【請求項４】
前記電力会社による、登録内容の書き換えは、前記各参加者による工程の取り合い調整手順を含むことを特徴とする請求項１から３の何れかに記載の発電設備建設管理装置。
【請求項５】
前記電力会社による、前記個別工事管理手段に登録された前記副工程の内容へのアクセスは閲覧であり、
前記各参加者よる、他の参加者が提供した前記個別工事管理手段に登録された前記副工程の内容へのアクセスは閲覧である、
ことを特徴とする請求項１から４の何れかに記載の発電設備建設管理装置。
【請求項６】
建設予定の発電設備の一連の工程を抽出し、これをグループ化し、そのグループの作業工程をブレークダウンし、階層的に工程の内容を定義して管理を行う発電設備建設管理装置であって、
実行される作業工程を時系列で表現し、前記データベースには、前記電力会社および前記各参加者による各工程をワークパッケージとして登録したことを特徴とする請求項１から５の何れかに記載の発電設備建設管理装置。
【請求項７】
建設予定の発電設備の工程を、既建設の発電設備についての電力会社および参加者の工程履歴に基づき管理する発電設備建設管理方法であって、
前記既建設の発電設備についての前記電力会社により提供される主要工程の実績を、前記建設予定の発電設備の主要工程として、データベースに登録し、
前記既建設の発電設備についての前記参加者により提供される副工程の実績を、前記建設予定の発電設備の副工程として、前記主要工程に関連付けして前記データベースに登録し、
前記電力会社に対し前記データベースに登録された前記主要工程および前記副工程の内容にアクセスを許可し、
前記各参加者に対し前記データベースに登録された各自が提供した前記副工程の内容にアクセスを許可し、前記データベースに登録された他の参加者が提供した前記副工程の内容には自己の工程実行に必要な場合にのみアクセスを許可する、
ことを特徴とする発電設備建設管理方法。
【請求項８】
建設予定の発電設備の工程を管理する発電設備建設管理方法であって、
前記建設予定の発電設備の主要工程をデータベースに登録し、
前記建設予定の発電設備の副工程を前記主要工程に関連付けして前記データベースに登録し、
前記既建設の発電設備についての前記参加者により提供される副工程の実績を、前記建設予定の発電設備の副工程として、前記主要工程に関連付けして前記データベースに登録し、
前記電力会社に対し前記データベースに登録された前記主要工程および前記副工程の内容へのアクセスを許可し、
前記各参加者に対し前記データベースに登録された各自が提供した前記副工程の内容にアクセスを許可し、前記データベースに登録された他の参加者が提供した前記副工程の内容には自己の工程実行に必要な場合にのみアクセスを許可する、
ことを特徴とする発電設備建設管理方法。
【発明の詳細な説明】
【技術分野】
【０００１】
本発明は、建設予定の発電設備の工程を、既建設の発電設備についての電力会社および参加者の工程履歴に基づき参加者間のノウハウ等の秘匿情報の漏洩を補償しつつ管理できる発電設備建設管理装置および発電設備建設管理方法、ならびに建設予定の発電設備の工程を参加者間のノウハウ等の秘匿情報の漏洩を補償しつつ管理できる発電設備建設管理装置および発電設備建設管理方法に関する。
【背景技術】
【０００２】
発電設備の建設に際しては、電力会社Ｔは、建設会社Ａ（複数社であることもある）に建築構造物を発注し、主機メーカＢ（たとえば、一社）に機械・電気設備を発注する。
【０００３】
従来、主機の付随設備（たとえば、制御装置、監視装置、水処理設備等）については、たとえば主機メーカＢが指定したメーカが設置工事等を行う。
【０００４】
ところで、近時、建設コストを下げるため、電力会社Ｔは、主機の付随設備については、当該設備のメーカ（以下、「分離メーカ」と言う）に直接、設置工事を発注することがある。この場合、図１に示すように、電力会社Ｔは主要工程表９１０を、建設会社Ａは建築・土木工程表９１１を、主機メーカＢは系統別工程表９１２を持ち寄り、三者Ｔ，Ａ，Ｂにより発電設備の開始から完成に至るまでの作業手順について調整・検討（Ｘ）を行い、詳細な建設スケジュール９２を作成する。この建設スケジュール９２は、通常、膨大なページ数の紙の情報であり、これらは関係者に配布される。
【０００５】
また、建設工事が開始された後は、たとえば毎月、建設会社Ａ、主機メーカＢ、分離メーカＣ（通常複数）は、作業手順について見直し・確認等を含む調整・検討ｘ（ｋ）を行い、当月、翌月についての予定工程および前月の実績工程を、作業エリアごとに作成する。なお、ｋは１，２，３，・・・ｎであり、工期が５年で予定通り建設がなされる場合にはｎ＝１２（月）×５（年）＝６０（月）である。たとえば、具体的には、建設会社Ａは建築・土木３ヶ月工程表９３１を、主機メーカＢは系統別３ヶ月工程表９３２を、分離メーカＣは分離系統３ヶ月工程表９３３を作成する。一方、電力会社Ｔは、必要な帳票９３０を適時（たとえば、一月ごとに）検討・調査して作成する。これらの３ヶ月工程表９３１，９３２，９３３、帳票９３０も、通常、膨大なページ数の紙の情報であり、これらは関係者に配布される。
【発明の開示】
【発明が解決しようとする課題】
【０００６】
ところで、電力会社Ｔは、建設スケジュール９２や、３ヶ月工程表９３１，９３２，９３３を、対応して吟味することで、工事の進捗具合の把握等を含む工程管理（Ｙ）をしなくてはならないが、工程の表示スタイルは、建設スケジュール９２と、３ヶ月工程表９３１，９３２，９３３とで、互いに異なる（すなわち、統一されていない）場合がある。このため、工程管理に熟練していない者にとって、たとえば取り合いの調整等の工程管理（Ｙ）を効率良く行うことができないという不都合がある。
【０００７】
本発明の目的は、建設予定の発電設備の工程を、既建設の発電設備についての電力会社および参加者（建設会社、主機メーカ、分離メーカ等）の工程履歴に基づき参加者間のノウハウ等の秘匿情報の漏洩を補償しつつ管理でき、系統の把握、工区別の工程把握が容易な発電設備建設管理装置および発電設備建設管理方法を提供することにある。
【０００８】
本発明の目的は、建設予定の発電設備の工程を参加者間のノウハウ等の秘匿情報の漏洩を補償しつつ管理でき、系統の把握、工区別の工程把握が容易な発電設備建設管理装置および発電設備建設管理方法を提供することにある。
【課題を解決するための手段】
【０００９】
本発明の発電設備建設管理装置は、建設予定の発電設備の工程を、既建設の発電設備についての電力会社および参加者（参加企業：建設会社、主機メーカ、分離メーカ等）の工程履歴に基づき管理するものであって、前記既建設の発電設備についての前記電力会社により提供される主要工程の実績を、前記建設予定の発電設備の主要工程として、データベースに登録する全体プロジェクト管理手段と、前記既建設の発電設備についての前記参加者により提供される副工程の実績を、前記建設予定の発電設備の副工程として、前記主要工程に関連付けして前記データベースに登録する個別工事管理手段と、前記データベースへの登録内容へのアクセスを許可するアクセス許可手段とを備え、前記アクセス許可手段は、前記電力会社に対し前記データベースに登録された前記主要工程および前記副工程の内容へのアクセスを許可し、前記各参加者に対し前記データベースに登録された各自が提供した前記副工程の内容にアクセスを許可し、前記データベースに登録された他の参加者が提供した前記副工程に自己の工程実行に必要な場合にのみアクセスを許可することを特徴とする。本発明の発電設備建設管理装置を、入力支援システムまたは管理支援システムとして使用することで、建設予定の発電設備の工程を参加者間のノウハウ等の秘匿情報の漏洩を補償しつつ管理でき、系統の把握、工区別の工程把握が容易となる。
【００１０】
また、本発明の発電設備建設管理装置は、建設予定の発電設備の工程を管理するものであって、前記建設予定の発電設備の主要工程をデータベースに登録する全体プロジェクト管理手段と、
前記建設予定の発電設備の副工程を前記主要工程に関連付けして前記データベースに登録する個別工事管理手段と、前記データベースへの登録内容へのアクセスを許可するアクセス権許可手段とを備え、前記アクセス許可手段は、前記電力会社に対し前記データベースに登録された前記主要工程および前記副工程の内容にアクセスを許可し、前記各参加者に対し前記データベースに登録された各自が提供した前記副工程の内容にアクセスを許可し、前記データベースに登録された他の参加者が提供した前記副工程に自己の工程実行に必要な場合にのみアクセスを許可することをも特徴とする。
【００１１】
本発明の発電設備建設管理装置では、前記電力会社による、前記主要工程登録手段に登録された前記主要工程の内容へのアクセスは登録内容の書き換えを含み、前記各参加者による、各自が提供した前記個別工事管理手段に登録された前記副工程の内容へのアクセスは、登録内容の書き換えを含むことができる。
本発明の発電設備建設管理装置では、前記電力会社による、登録内容の書き換えは、前記各参加者による工程の取り合い調整手順を含むことができる。
【００１２】
本発明の発電設備建設管理装置では、前記電力会社による、前記個別工事管理手段に登録された前記副工程の内容へのアクセスは閲覧であり、前記各参加者による、他の参加者が提供した前記個別工事管理手段に登録された前記副工程の内容へのアクセスは閲覧であるようにできる。
【００１３】
本発明の発電設備建設管理装置では、建設予定の発電設備の一連の工程を抽出し、これをグループ化し、そのグループの作業工程をブレークダウンし、階層的に工程の内容を定義して管理を行うことができ、実行される作業工程を時系列で表現し、前記データベースには、前記電力会社および前記各参加者による各工程をワークパッケージとして登録することができる。すなわち、工程管理にＷＢＳ（ワークブレークダウンストラクチャー）の技法を導入することにより、各業務の品質，コスト，納期等を適切かつ明確に管理することができる。この場合には、データベースは、前記電力会社および前記各参加者による各工程がワークパッケージとして登録されるように構成される。
【００１４】
本発明の発電設備建設管理方法は、建設予定の発電設備の工程を、既建設の発電設備についての電力会社および参加者の工程履歴に基づき管理するものであって、前記既建設の発電設備についての前記電力会社により提供される主要工程の実績を、前記建設予定の発電設備の主要工程として、データベースに登録し、前記既建設の発電設備についての前記参加者により提供される副工程の実績を、前記建設予定の発電設備の副工程として、前記主要工程に関連付けして前記データベースに登録し、前記電力会社に対し前記データベースに登録された前記主要工程および前記副工程の内容にアクセスを許可し、前記各参加者に対し前記データベースに登録された各自が提供した前記副工程の内容にアクセスを許可し、前記データベースに登録された他の参加者が提供した前記副工程の内容には自己の工程実行に必要な場合にのみアクセスを許可することを特徴とする。
【００１５】
本発明の発電設備建設管理方法は、建設予定の発電設備の工程を管理する発電設備管理するものであって、前記建設予定の発電設備の主要工程をデータベースに登録し、前記建設予定の発電設備の副工程を前記主要工程に関連付けして前記データベースに登録し、前記既建設の発電設備についての前記参加者により提供される副工程の実績を、前記建設予定の発電設備の副工程として、前記主要工程に関連付けして前記データベースに登録し、前記電力会社に対し前記データベースに登録された前記主要工程および前記副工程の内容へのアクセスを許可し、前記各参加者に対し前記データベースに登録された各自が提供した前記副工程の内容にアクセスを許可し、前記データベースに登録された他の参加者が提供した前記副工程の内容には自己の工程実行に必要な場合にのみアクセスを許可することをも特徴とする。
【発明の効果】
【００１６】
本発明の、発電設備建設管理装置および発電設備建設管理方法では、過去に建設された発電設備の実績データを使用することができる。参加者は、他の参加者により提供されたデータのうち必要な部分以外にはアクセスすることができないので、参加者のノウハウ等が保護される。一方で、データベースの一元化が担保できる。具体的には、全体工程は全体工程表により把握できるし、分離工程（工区）は分離工程表によりその詳細を知ることができる。従来の情報が紙で残っているので、それをデジタルデータ化して、データベースに組み込む。
【００１７】
また、取り合いの調整（他社との関係でのスケジュールの調整）を、矢印等により時間に関連付けて表示すること等により、取り合いの調整が容易となる
また、本発明の発電設備建設管理装置および発電設備建設管理方法では、スケジュール調整機能に加えて、工事に関する付記情報を、全体工程表、分離工程表の適宜箇所に埋め込むことができる。たとえば、全体工程表中のある工程に、リンク情報を埋め込むことができる。したがって、発電設備の建設に際してスケジュール変更（通常は、マイナーチェンジ）が容易となる。
【００１８】
特に本発明の発電設備建設管理装置および発電設備建設管理方法では、必要な人が、必要な時に、必要な場所で、必要な事項を、必要な見方で見ることができ、文言定義等の整合性をとることも容易である。本発明では、汎用コンピュータ等から、検索を行い、複数の表示方式から最適なものを選択して見ることができる。
【発明を実施するための最良の形態】
【００１９】
図２〜図５により本発明の一実施形態を説明する。図２において、発電設備建設管理装置１は、建設予定の発電設備の工程を、既建設の発電設備についての電力会社Ｔおよび参加者（図２では、建設会社Ａ、主機メーカＢ、分離メーカＣ）の工程履歴に基づき管理する。
【００２０】
発電設備建設管理装置１は、制御手段（制御装置）１１と、データベース１２と、全体プロジェクト管理手段１３１と、個別工事管理手段１３２と、アクセス許可手段１３３と、関連情報登録手段１３４とを備えている。
【００２１】
制御手段１１は、データベース１２，全体プロジェクト管理手段１３１，個別工事管理手段１３２，アクセス許可手段１３３，関連情報登録手段１３４を管理するもので、具体的には、ＣＰＵと、ＲＯＭまたはＲＡＭに格納されて動作する管理プログラム、アクセス許可プログラム、登録プログラム等のアプリケーションプログラム等の各種プログラムからなる。
【００２２】
全体プロジェクト管理手段１３１は、既建設の発電設備についての電力会社Ｔにより提供される主要工程の実績を、建設予定の発電設備の主要工程として、データベース１２に登録する。
【００２３】
個別工事管理手段１３２は、既建設の発電設備についての参加者（建設会社Ａ、主機メーカＢ、分離メーカＣ）により提供される副工程の実績を、建設予定の発電設備の副工程として、主要工程に関連付けしてデータベース１２に登録する。
【００２４】
アクセス許可手段１３３は、データベース１２への登録内容へのアクセスを許可するものである。アクセス許可手段１３３は、電力会社Ｔに対しデータベース１２に登録された主要工程および副工程の内容へのアクセスを許可し、各参加者（建設会社Ａ、主機メーカＢ、分離メーカＣ）に対しデータベース１２に登録された各自が提供した副工程の内容にアクセスを許可し、データベース１２に登録された他の参加者が提供した副工程に自己の工程実行に必要な場合にのみアクセスを許可する。
【００２５】
電力会社Ｔは、主要工程登録手段１３１に登録された主要工程の内容にアクセスし、登録内容を書き換えることができる。たとえば、電力会社Ｔは、取り合い調整手順のために、依頼するべき参加者の特定、作業開始日、作業終了日等を書き換えることができる。
【００２６】
また、電力会社Ｔは、参加者（建設会社Ａ、主機メーカＢ、分離メーカＣ）が提供した個別工事管理手段に登録された副工程の内容にアクセスして、登録内容を書き換えることができるようにしてもよい。電力会社Ｔは、個別工事管理手段に登録された副工程の内容を閲覧しかできないようにしてもよいが、この場合には、副工程の内容を書き換える必要があると判断した場合には、参加者（建設会社Ａ、主機メーカＢ、分離メーカＣ）に書き換えを要求するようにしてもよい。
【００２７】
また、参加者（建設会社Ａ、主機メーカＢ、分離メーカＣ）は、各自が提供した個別工事管理手段に登録された副工程の内容にアクセスし、登録内容を書き換えることができ、他の参加者が提供した個別工事管理手段に登録された副工程の内容にアクセスして閲覧をすることができる。
データベース１２には、電力会社Ｔおよび参加者による各工程がワークパッケージ（ＷＰ）として登録されている。
【００２８】
データベース１２の構築に際し、図３に示すように、主要工程ディレクトリＤ１、全体プロジェクト管理ディレクトリＤ２、個別工事管理ディレクトリＤ３、関連情報ディレクトリＤ４を記憶装置上に定義する。
【００２９】
個別工事管理ディレクトリＤ３には、個別工事ディレクトリ（ここでは、Ｄ３０１〜３０４）、土木・建築工程ディレクトリＤ３１、主機工程ディレクトリＤ３２、系統試験工程管理ディレクトリＤ３３、起動試験工程管理ディレクトリＤ３４のサブディレクトリが定義される。図３では、個別工事ディレクトリは、電力会社Ｔおよび参加者（分離メーカＣ）から提供されたデータに基づき作成された、主変圧器新設工事Ｄ３０１、水処理設備工事Ｄ３０２を含んでいる。
【００３０】
データベース１２に登録される各種データは、もともと紙ベースのドキュメントであってもよいし、表計算アプリケーション、スケジューリング用アプリケーション等により作成されたデータであってもよい。
【００３１】
たとえば、電力会社Ｔから提供される発電設備の実績データのうち、「主要工程」データは主要工程ディレクトリＤ１に主要工程ワークパッケージ（ＷＰ）として登録される。
【００３２】
たとえば、建設会社Ａから提供される発電設備の実績データのうち、「土木・建築現地工事」データは土木・建築工程ディレクトリＤ３１に土木・建築工程ＷＰとして登録される。
【００３３】
たとえば、主機メーカＡから提供される発電設備の実績データのうち、「主機現地工事」データは主機工程ディレクトリＤ３２に主機工程ＷＰとして登録され、「系統試験工程」データは系統試験工程管理ディレクトリＤ３３に系統試験工程ＷＰとして登録され、「起動試験工程」データは起動試験工程管理ディレクトリＤ３４に起動試験工程ＷＰとして登録される。
【００３４】
たとえば、分離メーカＣから提供される発電設備の実績データのうち、「現地工事」データは個別工事ディレクトリＤ３１（Ｉ（１）〜Ｉ（Ｎ））に現地工事ＷＰとして登録され、「系統試験工程」データは系統試験工程管理ディレクトリＤ３３に系統試験工程ＷＰとして登録される。
【００３５】
図３のデータベース（ディレクトリ構成）では、水処理設備工事を例にとり、電力会社Ｔが作成したエンジニアリング工程ａを参照して、参加者（受注メーカ）が作成した現地工事工程ｂの取合い設定ｃを行う場合を例示してある。この取合いの設定ｃにおいては、図３では全体プロジェクト管理Ｄ２の取合い先ＷＰ（ｄ）および主機工程Ｄ３２の原子炉設備工事の取合い先ＷＰ（ｅ：既存の発電設備の建設に際しての取合い先ＷＰ）を参照して、新設工事を行う参加者の工程管理を行う。
【００３６】
図４（Ａ），（Ｂ）に示すように、電力会社Ｔのユーザインタフェース画面に取合いの時間の前後関係を明示しておけば、取合いの調整がされている場合（図４（Ａ））と、されていない場合（図４（Ｂ））とを明示することができる。
【００３７】
図５は、データベース構造の説明図であり、上記したデータは、業務に関する情報（ＦＷＢＳ）、機器や系統に関する情報（ＥＢＳ）、時間に関する情報（ＴＢＳ）、所掌に関する情報（ＯＢＳ）、エリアに関する情報（ＡＢＳ）に分けられて（すなわち、ＷＰとして）データベース化されている。
【００３８】
発電設備建設管理装置１は、全体プロジェクト管理手段１３１と、個別工事管理手段１３２と、アクセス許可手段１３３、スケジュール管理手段１３４とを備えており、具体的には、主要工程表（予定・実績）、許認可工程表（予定・実績）、工認工程表（予定・実績）、使用前検査工程表（予定・実績）を出力することができる。
【００３９】
全体プロジェクト管理手段１３１は、主要工程管理、許認可管理、使用前検査管理、着工前エンジニアリング、工事計画認可管理を行う。アクセス許可手段１３３は、電力会社Ｔによるアクセス（検索，工程表出力，帳票出力，データ書き換え等）に制限を設けない。
【００４０】
また、個別工事管理手段１３２は、分離工事管理（エンジニアリング工程管理、現地工事工程管理）を行うことができる。具体的には、分離件名工程表（予定・実績）、各種帳票を出力することができる。アクセス許可手段１３３は、電力会社Ｔによるアクセスに制限を設けない。
【００４１】
個別工事管理手段１３２は、建設会社Ａ，主機メーカＢ，分離メーカＣからの要求により、新主要工程表，建築工程表、大型特殊機器工程表，エリア工程表、主機／分離工程表、ヤード工程表、炉内試験工程表、起動試験工程表、系統試験工程表、起動試験工程表を出力することができる。アクセス許可手段１３３は、建設会社Ａ，主機メーカＢ，分離メーカＣによるアクセス（検索，工程表出力，データ書き換え等）を一定条件のもとに許す（アクセスを制限する）機能を備えている。具体的には、アクセス制限テーブルＡＵＴを備えており、アクセスが制限されているデータへのアクセス要求を受け取ったときは、アクセス制限テーブルＡＵＴを参照して、アクセスを許可するか否かを決定する。このアクセス制限テーブルＡＵＴは、例えば、各ファイル（ワークパッケージのデータ）と、そのファイルに対してアクセス可能な（アクセス権を保有する）者を特定する情報（コード等）を関連づけたテーブル構造とすることができる。これにより、このテーブルに載っていない者のアクセスは許可されない。
【００４２】
工程管理（Ｙ）にＷＢＳを導入する場合、建設会社Ａ、主機メーカＢ、分離メーカＣの工程の手順等は、アクセス制限機能により制限される。すなわち、建設会社Ａ、主機メーカＢ、分離メーカＣにより行われる工程には、種々の作業等のノウハウが含まれることがあり、建設会社Ａ、主機メーカＢ、分離メーカＣにとっては、これらノウハウは財産であり、他社への公開を望まない。
【００４３】
個別工事管理手段１３２により作成された各参加者における各工程の手順等は、アクセス制限許可手段１３３により、原則としてプロジェクトに参加する他の参加者に公開されない。よって、プロジェクトの参加者のノウハウ等の秘匿は担保される。また、各参加者は、個別工事管理手段１３２により、自己の工程を適宜編集することができる。そして、実際の工事の進捗状況は、必ずしも当初予定した通りに進むとは限らず、日々変化することがある。係る場合、各参加者は、自己の工程に関する変更を個別工事管理手段１３２を用いてデータベースに登録することができる。これにより、係る変化に応じて工程表（終了日等）の変更が行われるため、アクセス制限のない電力会社Ｔは、最新の工程表（予定・実績）を見ることにより、現況を容易に把握できる。
【００４４】
また、工程表の変更を行い、その工程ａの完了日時が遅れるような場合がある。係る場合、その工程ａの遅れが別の工程ｂへ影響を与えることがある。つまり、工程ｂは工程ａの完了を前提とするような場合、工程ａの実際の終了日が、工程ｂの当初の開始予定日よりも遅くなると、それに合わせて工程ｂの開始日も遅らせる必要がある。逆に工程ｂの開始日を変更できない場合には、工程ａの完了日は工程ｂの開始日よりも前にする必要がある。工程ａと工程ｂが同一の参加者が行う場合には、自社内で調整を図り、工程ｂの開始予定日を遅らせるか、工程ａの作業を早く行い、完了日をとにかく工程ｂの開始日前になるようにする。
【００４５】
一方、工程ａと工程ｂとが、それぞれ異なる参加者における作業の場合、参加者間での取り合い調整を行う必要がある。係る場合、取り合い調整が必要か否かは、図４に示す表示形態をとっているため、容易に判断することができる。すなわち、工程ａを実施する参加者は、工程ａと関係する工程ｂについてもアクセス許可を受けているため、工程ｂの開始日を確認でき、図４に示す表示形態を見ることができる。そして、予め工程ａの遅れを見越したり、別の要因で工程ｂの開始日が決定され、元々工程ａの完了日との間に一定期間の余裕がある場合がある。係る場合、仮に工程ａの完了日を遅らせた状態で更新登録した後、自己に関係する工程表を表示した際に、図４（Ａ）に示すようになると、工程ｂを実施する参加者に対し取り合いの調整を申し込むことなく日程の変更が行える。しかし、図４（Ｂ）に示すようになると、工程ｂの開始日よりも工程ａの完了日の方が遅いことが一目で理解できるので、工程ｂを実施する参加者との間で日程の調整（取り合い調整）を行い、不整合を解消する。
【００４６】
工程管理（Ｙ）にＷＢＳを導入する場合、プロジェクトの参加者、すなわち建設会社Ａ、主機メーカＢ、分離メーカＣの工程の手順等は、相互にオープンにされる（本発明では、電力会社Ｔにより調整される）。このため、プロジェクトの参加者のノウハウ等の秘匿が担保されないことがある。また、既存の発電設備の建設に際しての、建設会社Ａ、主機メーカＢ、分離メーカＣの工程の手順等のドキュメントを単純にデータベース化して利用することも考えられるが、この場合にも、プロジェクトの参加者相互に、ドキュメントをオープンにしたのでは、ノウハウ等の秘匿が担保されない。
発電設備の建設に際しては、複数の分離メーカＣ間での、いわゆる取り合いの調整が必要であるが、取り合いを矢印で示してあるのでそのまま適用することができる。
【００４７】
図６以降の図により発電設備建設管理装置１の動作を説明する。図６のユーザインタフェース画面Ｇ１に示すように、参加者は、個別工事スケジュール登録を行うことができる。このユーザインタフェース画面Ｇ１には、予定スケジュールの種類の選択部と、ＷＰの種類の選択部と、ＷＰの情報（件名、ＦＷＢＳ、ＥＢＳ、ＡＢＳ、所掌箇所、開始日、終了日）が入力される。
【００４８】
なお、図６の左欄のメニュー中、「検索」の「ＷＰ検索」はＷＰ（工程データ）の検索、「件名検索」は個別工事件名の検索、「関連情報検索」は帳票に使用する関連情報の検索にかかるものであり、「新規登録」の「件名登録」は個別工事の件名とその他情報の新規登録を、「主要工程登録」は着工、受電など大工程のデータの登録を、「全体スケジュール登録」は個別の工程に依存しない工程データ（許認可やプロジェクトの着工前エンジニアリング等）の登録を、「個別スケジュール登録」は個別工事件名の工事データの登録を、それぞれ行うためのものである。
【００４９】
また、図７，図８に示すように建設会社Ａ、主機メーカＢ、分離メーカＣは、新規に個別工事の件名登録を行うことができる。図７は個別工事件名登録のためのユーザインタフェース画面Ｇ２を示しており、図８は個別工事件名登録を行うに際しての既建設の発電設備についての個別工事登録の実績データ画面Ｇ２１を示している。ユーザは、ユーザインタフェース画面Ｇ２の「コピー元検索」ボタンを用いて、個別工事件名登録の実績データ画面Ｇ２１を呼び出すことができる。電力会社Ｔは、図９に示す主要工事登録のためのユーザインタフェース画面Ｇ３を用いて、主要工程の登録（予定または実績の何れか）を行うことができる。
【００５０】
図１０，図１１は、工事工程の登録情報を示す図であり、図１０は電力会社Ａが必要とする工程データ（スケジュール表Ｓ１）を示し、図１１は水処理設備メーカにて検索した工程データ（スケジュール表Ｓ２）を示している。図１１に示すように、水処理設備メーカにて検索した工程データは、電力会社Ａが必要とする工程データと異なり、水処理設備メーカが必要としないデータは表示されない。
【００５１】
図１２，図１３は、ＷＰ検索の一例を示しており、図１２はＷＰ検索のためのユーザインタフェース画面Ｇ４１であり、図１２のユーザインタフェース画面Ｇ４１からの検索により図１３のユーザインタフェース画面Ｇ４２に示す検索結果を得ることができる。
【００５２】
図１４から図１６は、ユーザは個別工事件名検索のためのユーザインタフェース画面であり、図１４のユーザインタフェース画面Ｇ５１からの検索により図１５のユーザインタフェース画面Ｇ５２に示す検索結果を得ることができる。ユーザは、図１６のユーザインタフェース画面Ｇ５３（個別工事件名編集画面）を用いて、たとえば、既存の発電設備の建設に際して作成した個別工事の個別工事件名等の編集を行い、新規の工事に適応することができる。
【００５３】
図１７，図１８は、関連情報の検索のためのユーザインタフェース画面であり、図１７のユーザインタフェース画面Ｇ６１からの検索により図１８のユーザインタフェース画面Ｇ６２に示す検索結果を得ることができる。
【００５４】
図１９から図２１は、ユーザは工事計画認可情報検索のためのユーザインタフェース画面であり、図１９のユーザインタフェース画面Ｇ７１からの検索により図２０のユーザインタフェース画面Ｇ７２に示す編集画面に移行することができる。ユーザは、図１９のユーザインタフェース画面Ｇ７１のサーチボタンから図２１のサーチのためのユーザインタフェース画面Ｇ７３に移行することもできる。
【図面の簡単な説明】
【００５５】
【図１】従来の発電設備建設管理装置のブロック図である。
【図２】本発明の、発電設備建設管理装置を示すブロック図である。
【図３】図２の発電設備建設管理装置のディレクトリ構造を示す説明図である。
【図４】取合いの説明図である。
【図５】図２の発電設備建設管理装置のデータ構造を示す説明図である。
【図６】個別工事スケジュール登録のためのユーザインタフェース画面を示す図である。
【図７】個別工事件名登録のためのユーザインタフェース画面を示す図である。
【図８】個別工事件名登録を行うに際しての既建設の発電設備についての個別工事登録の実績データ画面を示す図である。
【図９】主要工事登録のためのユーザインタフェース画面を示す図である。
【図１０】工事工程の登録情報を示す図であり、電力会社Ａが必要とする工程データを示す図である。
【図１１】工事工程の登録情報を示す図であり、水処理設備メーカにて検索した工程データを示す図である。
【図１２】ＷＰ検索の一例を示しており、ＷＰ検索のためのユーザインタフェース画面を示す図である。
【図１３】ＷＰ検索の一例を示しており、検索結果を示す図である。
【図１４】個別工事件名検索のためのユーザインタフェース画面における検索画面を示す図である。
【図１５】個別工事件名検索のためのユーザインタフェース画面における検索結果示す図である。
【図１６】個別工事件名検索のためのユーザインタフェース画面における編集画面を示す図である。
【図１７】関連情報の検索のためのユーザインタフェース画面における検索画面を示す図である。
【図１８】関連情報の検索のためのユーザインタフェース画面における検索結果を示す図である。
【図１９】工事計画認可情報検索のためのユーザインタフェース画面における検索画面を示す図、である。
【図２０】工事計画認可情報検索のためのユーザインタフェース画面における編集画面を示す図である。
【図２１】工事計画認可情報検索のためのユーザインタフェース画面におけるサーチのためのユーザインタフェース画面を示す図である。
【符号の説明】
【００５６】
１  発電設備建設管理装置
１１  制御手段（制御装置）
１２  データベース
１３１  全体プロジェクト管理手段
１３２  個別工事管理手段
１３３  アクセス許可手段
Ｄ３１  個別工事ディレクトリ
Ｄ３２  主機工程ディレクトリ
Ｄ３３  系統試験工程管理ディレクトリ
Ｄ３４  起動試験工程管理ディレクトリ
【図１】
2006119842.tif 000003
【図２】
2006119842.tif 000004
【図３】
2006119842.tif 000005
【図４】
2006119842.tif 000006
【図５】
2006119842.tif 000007
【図６】
2006119842.tif 000008
【図７】
2006119842.tif 000009
【図８】
2006119842.tif 000010
【図９】
2006119842.tif 000011
【図１０】
2006119842.tif 000012
【図１１】
2006119842.tif 000013
【図１２】
2006119842.tif 000014
【図１３】
2006119842.tif 000015
【図１４】
2006119842.tif 000016
【図１５】
2006119842.tif 000017
【図１６】
2006119842.tif 000018
【図１７】
2006119842.tif 000019
【図１８】
2006119842.tif 000020
【図１９】
2006119842.tif 000021
【図２０】
2006119842.tif 000022
【図２１】
2006119842.tif 000023